(57)【要約】      （修正有）【課題】通気性があり、かつ虫の侵入を防止する開閉部材を備えた建物の出入口部開閉装置を提供する。【解決手段】通気性のシート状開閉部材４と、開閉部材４を巻き取る回転体１０と、建物の内側から見て建物の出入口部２の右側に取り付けられ、開閉部材４の右側を案内する溝部１２ａを備えた右側案内部材１２と、この右側案内部材１２の長手方向に沿うと共に右側案内部材１２の溝部１２ａに向かうように折り返された右折り返し部Ａと、開閉部材４の右側の部分に取り付けられ、右折り返し部Ａの端部に対向する部分に建物の出入口部２に向かう水平方向の動きを規制して開閉部材４の右縁部の右側案内部材１２の溝部１２ａからの離脱を防止する抜け出し防止部２０ａを備えた右抜け出し防止用部材２０とを設け、開閉部材４の左側にも同様の部材を設けた。【選択図】図４
2006125020.tif 000002
【特許請求の範囲】
【請求項１】
通気性があって、巻き取り自在な柔軟性を有する帯状に形成され、建物の出入口部を開閉する通気性のシート状開閉部材と、
前記建物の出入口部の上方に取り付けられ、前記通気性のシート状開閉部材を巻き取る回転体と、
前記建物の内側から見て前記建物の出入口部の右側に取り付けられ、前記通気性のシート状開閉部材の右側を案内する溝部を備えた右側案内部材と、
この右側案内部材の長手方向に沿うと共に前記右側案内部材の溝部に向かうように折り返された右折り返し部と、
前記通気性のシート状開閉部材の右側の部分に取り付けられ、前記右折り返し部の端部に対向する部分に前記建物の出入口部に向かう水平方向の動きを規制して前記通気性のシート状開閉部材の右縁部の前記右側案内部材の溝部からの離脱を防止する抜け出し防止部を備えた右抜け出し防止用部材と、
前記建物の内側から見て前記建物の出入口部の左側に取り付けられ、前記通気性のシート状開閉部材の左側を案内する溝部を備えた左側案内部材と、
この左側案内部材の長手方向に沿うと共に前記左側案内部材の溝部に向かうように折り返された左折り返し部と、
前記通気性のシート状開閉部材の左側の部分に取り付けられ、前記左折り返し部の端部に対向する部分に前記建物の出入口部に向かう水平方向の動きを規制して前記通気性のシート状開閉部材の左縁部の前記左側案内部材の溝部からの離脱を防止する抜け出し防止部を備えた左抜け出し防止用部材と、
を設けたことを特徴とする建物の出入口部開閉装置。
【請求項２】
右抜け出し防止用部材は、右側ベース部と、この右側ベース部より立ち上がった右側抜け出し防止部とを有し、
左抜け出し防止用部材は、左側ベース部と、この左側ベース部より立ち上がった左側抜け出し防止部とを有している
ことを特徴とする請求項１記載の建物の出入口部開閉装置。
【請求項３】
右抜け出し防止用部材は、右側ベース部と、この右側ベース部より立ち上がった右側抜け出し防止部とを有し、
前記右側抜け出し防止部は中央が平らな右側中央部と、この右側中央部の上方部分は上に向かって傾斜する右側上り勾配部と、前記右側中央部の下方部分は下に向かって傾斜する右側下り勾配部とを有し、
左抜け出し防止用部材は、左側ベース部と、この左側ベース部より立ち上がった左側抜け出し防止部とを有し、
前記左側抜け出し防止部は中央が平らな左側中央部と、この左側中央部の上方部分は上に向かって傾斜する左側上り勾配部と、前記左側中央部の下方部分は下に向かって傾斜する左側下り勾配部とを有している
ことを特徴とする請求項１記載の建物の出入口部開閉装置。
【請求項４】
通気性があって、巻き取り自在な柔軟性を有する帯状に形成され、建物の出入口部を開閉する通気性のシート状開閉部材と、
前記建物の出入口部の上方に取り付けられ、前記通気性のシート状開閉部材を巻き取る回転体と、
前記建物の内側から見て前記建物の出入口部の右側に取り付けられ、前記通気性のシート状開閉部材の右側を案内する幅Ｗを有する溝部を備えた右側案内部材と、
この右側案内部材の溝部の幅Ｗに対向する部分に前記右側案内部材の溝部の幅Ｗより大きくなるように、前記通気性のシート状開閉部材の右側の部分に取り付けられた高さＨ（Ｈ＞Ｗ）を有する右抜け出し防止用部材と、
前記建物の内側から見て前記建物の出入口部の左側に取り付けられ、前記通気性のシート状開閉部材の左側を案内する幅Ｗを有する溝部を備えた左側案内部材と、
この左側案内部材の溝部の幅Ｗに対向する部分に前記左側案内部材の溝部の幅Ｗより大きくなるように、前記通気性のシート状開閉部材の左側の部分に取り付けられた高さＨ（Ｈ＞Ｗ）を有する左抜け出し防止用部材と、
を設けたことを特徴とする建物の出入口部開閉装置。
【発明の詳細な説明】
【技術分野】
【０００１】
本発明は、建物の出入口部開閉装置に係り、特に、溝部を介して建物の内部への虫の侵入を防ぐことができる建物の出入口部開閉装置に関する。
【背景技術】
【０００２】
従来、建物の出入口部開閉装置として、通気性を有するシートシャッタがある（例えば、特許文献１参照。）。
【０００３】
上述したシートシャッタは、工場、倉庫等の建物の出入口部を開閉する際に使用されるもので、シャッタ本体（２）には、シャッタ本体（２）の幅方向にパイプ（７）が、このパイプ（７）の両端には、ガイドローラ（８）が、それぞれ設けられ、シャッタ本体（２）が昇降するようになっている。
【０００４】
しかしながら、上述したシートシャッタ（１）にあっては、ガイドローラ（８）が左右に設けられたサイドフレーム（１３）内に位置するため、シャッタ本体（２）の厚みに比べ、パイプ（７）の径が大きく、シャッタ本体（２）の両端部が位置するサイドフレーム（１３）の開口部の大きさは、シャッタ本体（２）の厚みより大きく設定されているため、シャッタ本体（２）の端部の厚みが一定でない（特開平１１−２１０３５３号公報の図３参照）。その結果、サイドフレーム（１３）の開口部が大きいため、パイプ（７）が位置しないシャッタ本体（２）の端部とサイドフレーム（１３）の開口部との隙間が大きくなり、該隙間から虫が建物の内部へ侵入し易いという問題点が生じた。
【特許文献１】特開平１１−２１０３５３号公報
【発明の開示】
【発明が解決しようとする課題】
【０００５】
本発明は、前記した問題点を除去するようにした建物の出入口部開閉装置を提供することを目的としている。
【課題を解決するための手段】
【０００６】
前記した目的を達成するための本発明の建物の出入口部開閉装置は、通気性があって、巻き取り自在な柔軟性を有する帯状に形成され、建物の出入口部を開閉する通気性のシート状開閉部材と、前記建物の出入口部の上方に取り付けられ、前記通気性のシート状開閉部材を巻き取る回転体と、前記建物の内側から見て前記建物の出入口部の右側に取り付けられ、前記通気性のシート状開閉部材の右側を案内する溝部を備えた右側案内部材と、この右側案内部材の長手方向に沿うと共に前記右側案内部材の溝部に向かうように折り返された右折り返し部と、前記通気性のシート状開閉部材の右側の部分に取り付けられ、前記右折り返し部の端部に対向する部分に前記建物の出入口部に向かう水平方向の動きを規制して前記通気性のシート状開閉部材の右縁部の前記右側案内部材の溝部からの離脱を防止する抜け出し防止部を備えた右抜け出し防止用部材と、前記建物の内側から見て前記建物の出入口部の左側に取り付けられ、前記通気性のシート状開閉部材の左側を案内する溝部を備えた左側案内部材と、この左側案内部材の長手方向に沿うと共に前記左側案内部材の溝部に向かうように折り返された左折り返し部と、前記通気性のシート状開閉部材の左側の部分に取り付けられ、前記左折り返し部の端部に対向する部分に前記建物の出入口部に向かう水平方向の動きを規制して前記通気性のシート状開閉部材の左縁部の前記左側案内部材の溝部からの離脱を防止する抜け出し防止部を備えた左抜け出し防止用部材とを設けたものである。
【０００７】
また、請求項２記載の建物の出入口部開閉装置は、請求項１記載の建物の出入口部開閉装置において、右抜け出し防止用部材は、右側ベース部と、この右側ベース部より立ち上がった右側抜け出し防止部とを有し、左抜け出し防止用部材は、左側ベース部と、この左側ベース部より立ち上がった左側抜け出し防止部とを有しているものである。
【０００８】
また、請求項３記載の建物の出入口部開閉装置は、請求項１記載の建物の出入口部開閉装置において、右抜け出し防止用部材は、右側ベース部と、この右側ベース部より立ち上がった右側抜け出し防止部とを有し、前記右側抜け出し防止部は中央が平らな右側中央部と、この右側中央部の上方部分は上に向かって傾斜する右側上り勾配部と、前記右側中央部の下方部分は下に向かって傾斜する右側下り勾配部とを有し、左抜け出し防止用部材は、左側ベース部と、この左側ベース部より立ち上がった左側抜け出し防止部とを有し、前記左側抜け出し防止部は中央が平らな左側中央部と、この左側中央部の上方部分は上に向かって傾斜する左側上り勾配部と、前記左側中央部の下方部分は下に向かって傾斜する左側下り勾配部とを有しているものである。
【０００９】
また、請求項４記載の建物の出入口部開閉装置は、通気性があって、巻き取り自在な柔軟性を有する帯状に形成され、建物の出入口部を開閉する通気性のシート状開閉部材と、前記建物の出入口部の上方に取り付けられ、前記通気性のシート状開閉部材を巻き取る回転体と、前記建物の内側から見て前記建物の出入口部の右側に取り付けられ、前記通気性のシート状開閉部材の右側を案内する幅Ｗを有する溝部を備えた右側案内部材と、この右側案内部材の溝部の幅Ｗに対向する部分に前記右側案内部材の溝部の幅Ｗより大きくなるように、前記通気性のシート状開閉部材の右側の部分に取り付けられた高さＨ（Ｈ＞Ｗ）を有する右抜け出し防止用部材と、前記建物の内側から見て前記建物の出入口部の左側に取り付けられ、前記通気性のシート状開閉部材の左側を案内する幅Ｗを有する溝部を備えた左側案内部材と、この左側案内部材の溝部の幅Ｗに対向する部分に前記左側案内部材の溝部の幅Ｗより大きくなるように、前記通気性のシート状開閉部材の左側の部分に取り付けられた高さＨ（Ｈ＞Ｗ）を有する左抜け出し防止用部材と、
を設けたものである。
【発明の効果】
【００１０】
請求項１記載の建物の出入口部開閉装置によれば、右折り返し部の端部に対向する部分に建物の出入口部に向かう水平方向の動きを規制して通気性のシート状開閉部材の右縁部の右側案内部材の溝部からの離脱を防止する抜け出し防止部を備えた右抜け出し防止用部材を通気性のシート状開閉部材の右側の部分に、左折り返し部の端部に対向する部分に建物の出入口部に向かう水平方向の動きを規制して通気性のシート状開閉部材の左縁部の右側案内部材の溝部からの離脱を防止する抜け出し防止部を備えた左抜け出し防止用部材を通気性のシート状開閉部材の左側の部分に、それぞれ取り付けているので、従来のような右側案内部材の溝部から左側案内部材の溝部に亘るパイプを設けなくても、通気性のシート状開閉部材が右側案内部材の溝部又は左側案内部材の溝部から離脱するのを防ぐことができ、しかも、従来のようにパイプを使用しない分、シート状開閉部材が軽くなると共に、右側案内部材の溝部及び左側案内部材の溝部の幅を薄いシート状開閉部材の厚みに合わせて、より小さくすることができ、その結果、溝部を介して建物の内部への虫の侵入を防ぐことができる。
【００１１】
また、請求項２記載の建物の出入口部開閉装置によれば、前述した請求項１記載の発明の効果に加え、右側ベース部と、この右側ベース部より立ち上がった右側抜け出し防止部とを有する右抜け出し防止用部材部材、左側ベース部と、この左側ベース部より立ち上がった左側抜け出し防止部とを有する左抜け出し防止用部材部材を、通気性のシート状開閉部材に取り付けるため、従来のような右側案内部材の溝部から左側案内部材の溝部に亘るパイプの取り付けに比べ、簡易に取り付けることができる。
【００１２】
また、請求項３記載の建物の出入口部開閉装置によれば、前述した請求項２記載の発明の効果に加え、「中央が平らな右側中央部と、この右側中央部の上方部分は上に向かって傾斜する右側上り勾配部と、前記右側中央部の下方部分は下に向かって傾斜する右側下り勾配部とを有する右側抜け出し防止部」及び「中央が平らな左側中央部と、この左側中央部の上方部分は上に向かって傾斜する左側上り勾配部と、前記左側中央部の下方部分は下に向かって傾斜する左側下り勾配部とを有する左側抜け出し防止部」であるため、通気性のシート状開閉部材の昇降に伴う右折り返し部の端部及び左折り返し部の端部との接触も少なく、しかも、右側抜け出し防止部の右側上り勾配部と右側下り勾配部及び左側抜け出し防止部の左側上り勾配部と左側下り勾配部は、右折り返し部の端部及び左折り返し部の端部と離間するように構成しているため、接触による損傷を防止することができる。その結果、通気性のシート状開閉部材の昇降に支障を生じないようにすることができる。
【００１３】
また、請求項４記載の建物の出入口部開閉装置によれば、右側案内部材の溝部の幅Ｗに対向する部分に前記右側案内部材の溝部の幅Ｗより大きくなるように、通気性のシート状開閉部材の右側の部分に取り付けられた高さＨ（Ｈ＞Ｗ）を有する右抜け出し防止用部材と、左側案内部材の溝部の幅Ｗに対向する部分に前記左側案内部材の溝部の幅Ｗより大きくなるように、前記通気性のシート状開閉部材の左側の部分に取り付けられた高さＨ（Ｈ＞Ｗ）を有する左抜け出し防止用部材とをそれぞれ設けているので、従来のような右側案内部材の溝部から左側案内部材の溝部に亘るパイプを設けなくても、通気性のシート状開閉部材が右側案内部材の溝部又は左側案内部材の溝部から離脱するのを防ぐことができ、しかも、従来のようにパイプを使用しない分、シート状開閉部材が軽くなると共に、右側案内部材の溝部及び左側案内部材の溝部の幅を薄いシート状開閉部材の厚みに合わせて、より小さくすることができ、その結果、溝部を介して建物の内部への虫の侵入を防ぐことができる。
【発明を実施するための最良の形態】
【００１４】
本発明の一実施例である建物の出入口部開閉装置を図面を参照して、説明する  。
図１乃至図１０において、１は茶工場、食品工場等の建物の出入口部開閉装置で、建物の出入口部開閉装置１は、建物の出入口部２の建物の内側から見て（図１参照）、外側に建物の出入口部２を開閉する非通気性の開閉部材３、例えば、金属製のシャッターが、この非通気性の開閉部材３より内側に、通気性のシート状開閉部材４が設けられている。通気性のシート状開閉部材４は、通気性（例えば、メッシュ状の開口部４ａ）があって、巻き取り自在な柔軟性を有する帯状に形成され、建物の出入口部２を開閉するようになっている。なお、５は通気性のシート状開閉部材４を収納する収納部、６は非通気性の開閉部材３を収納する収納部である。
【００１５】
１０は非通気性の開閉部材３より建物の内側に位置した通気性のシート状開  閉部材４を巻き取る回転体である。回転体１０は、建物の出入口部２の上方に取り付けられ、通気性のシート状開閉部材４を付着し、例えば、通気性のシート状開閉部材４の上側縁部を付着し、回転体１０を反時計回りに回転させて通気性のシート状開閉部材４を巻き取り建物の出入口部２を開とし、逆に回転体１０を時計回りに回転させて通気性のシート状開閉部材４を垂下させて閉とするものである。１１は、回転体１０を回転させる回転手段で、例えば、回転体１０と一体となって回転する滑車１１ａと、この滑車１１ａを回転させるチェーン１１ｂとを有し、チェーン１１ｂを操作することにより回転体１０を正逆に回転させるようにする。なお、回転手段１１は、滑車１１ａ  、チェーン１１ｂによらず、図示しないモータによって回転体１０を直接正逆に回転させるようにしても良い。
【００１６】
１２は建物の内側から見て（図１参照）建物の出入口部２の右側に取り付けられた右側案内部材で、右側案内部材１２は、通気性のシート状開閉部材４の右側（右側縁部）を案内する溝部１２ａを有する。図４に示すＡは、右側案内部材１２に設けられた右折り返し部で、右折り返し部Ａは、右側案内部材１２の長手方向に沿うと共に右側案内部材１２の溝部１２ａに向かうように折り返されている。右折り返し部Ａは、溝部１２ａの内部の側に折り曲げられ、溝部１２ａの開口部の一端でもある。溝部１２ａの開口部の他端Ｂは、建物の出入口部２の支持部Ｍの側に折り曲げられている。折り曲げられている分、右側案内部材１２の強度を向上させることができる。そして、詳細を後述する右折り返し部Ａの端部に対向する部分に右抜け出し防止用部材２０が設けられている。
【００１７】
１３は建物の内側から見て建物の出入口部２の左側に取り付けられた左側案内部材で、左側案内部材１３は、通気性のシート状開閉部材４の左側（左側縁部）を案内する溝部１３ａを有する。図６に示すＣは、左側案内部材１３に設けられた左折り返し部で、左折り返し部Ｃは、左側案内部材１３の長手方向に沿うと共に左側案内部材１３の溝部１３ａに向かうように折り返されている。左折り返し部Ｃは、溝部１３ａの内部の側に折り曲げられ、溝部１３ａの開口部の一端でもある。溝部１３ａの開口部の他端Ｄは、建物の出入口部２の支持部Ｎの側に折り曲げられている。折り曲げられている分、左側案内部材１３の強度を向上させることができる。そして、詳細を後述する左折り返し部Ｃの端部に対向する部分に左抜け出し防止用部材３０が設けられている。
【００１８】
このように、右折り返し部Ａの端部に対向する部分に建物の出入口部２に向かう水平方向の動きを規制して通気性のシート状開閉部材４の右縁部の右側案内部材１２の溝部１２ａからの離脱を防止する抜け出し防止部２０ａを備えた右抜け出し防止用部材２０を通気性のシート状開閉部材４の右側の部分に、左折り返し部Ｃの端部に対向する部分に建物の出入口部２に向かう水平方向の動きを規制して通気性のシート状開閉部材４の左縁部の左側案内部材１３の溝部１３ａからの離脱を防止する抜け出し防止部３０ａを備えた左抜け出し防止用部材３０を通気性のシート状開閉部材４の左側の部分に、それぞれ取り付けているので、従来のような右側案内部材の溝部から左側案内部材の溝部に亘るパイプを設けなくても、通気性のシート状開閉部材４が右側案内部材１２の溝部１２ａ又は左側案内部材１３の溝部１３ａから離脱するのを防ぐことができ、しかも、従来のようにパイプを使用しない分、シート状開閉部材４が軽くなると共に、右側案内部材１２の溝部１２ａ及び左側案内部材１３の溝部１３ａの幅を薄いシート状開閉部材４の厚みに合わせて、より小さくすることができ、その結果、溝部１２ａ、１３ａを介して建物の内部への虫の侵入を防ぐことができる。
【００１９】
また、上述した通気性のシート状開閉部材４の下側縁部には、通気性のシート状開閉部材４の右側縁部と通気性のシート状開閉部材４の左側縁部の間に設けられた下側部材２０’が取り付けられている（図１、図８及び図９参照）。下側部材２０’は、例えば、通気性のシート状開閉部材４の材質より比重が重い板状の部材で、例えば、幅１０００ミリメートル〜３６００ミリメートル、厚さ３ミリメートル〜６ミリメートルの鉄製のフラットバーで、該フラットバーの周囲をスポンジＳ、スポンジＳの周囲をカバーＫでそれぞれ覆うようにしている。２０’ａは、下側部材２０’の右側に設けられた右側ストッパーで、２０’ｂは、下側部材２０’の左側に設けられた左側ストッパーで、右側ストッパー２０’ａ及び左側ストッパー２０’ｂにより、通気性のシート状開閉部材４の下側縁部が収納部５内に巻き込まれないようにしている（図１０参照）。
【００２０】
また、通気性のシート状開閉部材４の右側の部分には、直線上に間隔を設けて右抜け出し防止用部材２０が複数取り付けられている（図１参照）。この右抜け出し防止用部材２０には、図４に示すように、右折り返し部Ａの端部に対向する部分に建物の出入口部２に向かう水平方向の動きを規制して（つまり、通気性のシート状開閉部材４の右縁部が水平方向に移動すると、右抜け出し防止用部材２０が右折り返し部Ａに当たり、溝部１２ａから離脱できない。）、通気性のシート状開閉部材４の右縁部の右側案内部材１２の溝部１２ａからの離脱を防止する抜け出し防止部２０ａを備えている。
【００２１】
この右抜け出し防止用部材２０は、図３及び図４に示すように、右側ベース部２０ｂと、この右側ベース部２０ｂより立ち上がった右側抜け出し防止部２０ａとを有し、例えば、平板状部材２０ｃと右側ベース部２０ｂとを通気性のシート状開閉部材４を介してリベットＲで、右抜け出し防止用部材２０が通気性のシート状開閉部材４に取り付けられている。また、右側抜け出し防止部２０ａは中央が平らな右側中央部２０ａ１と、この右側中央部２０ａ１の上方部分は上に向かって傾斜する右側上り勾配部２０ａ２と、右側中央部２０ａ１の下方部分は下に向かって傾斜する右側下り勾配部２０ａ３とを有している。
【００２２】
また、通気性のシート状開閉部材４の左側の部分には、直線上に間隔を設けて左抜け出し防止用部材３０が複数取り付けられている。この左抜け出し防止用部材３０には、図６に示すように、左折り返し部Ｃの端部に対向する部分に建物の出入口部２に向かう水平方向の動きを規制して（つまり、通気性のシート状開閉部材４の左縁部が水平方向に移動すると、左抜け出し防止用部材３０が左折り返し部Ｃに当たり、溝部１３ａから離脱できない。）、通気性のシート状開閉部材４の左縁部の左側案内部材１３の溝部１３ａからの離脱を防止する抜け出し防止部３０ａを備えている。
【００２３】
この左抜け出し防止用部材３０は、図５及び図６に示すように、左側ベース部３０ｂと、この左側ベース部３０ｂより立ち上がった左側抜け出し防止部３０ａとを有し、例えば、平板状部材３０ｃと左側ベース部３０ｂとを通気性のシート状開閉部材４を介してリベットＲで、左抜け出し防止用部材３０が通気性のシート状開閉部材４に取り付けられている。また、左側抜け出し防止部３０ａは中央が平らな左側中央部３０ａ１と、この左側中央部３０ａ１の上方部分は上に向かって傾斜する左側上り勾配部３０ａ２と、左側中央部３０ａ１の下方部分は下に向かって傾斜する左側下り勾配部３０ａ３とを有している。
【００２４】
図３乃至図６に示すように、「中央が平らな右側中央部２０ａ１と、この右側中央部２０ａ１の上方部分は上に向かって傾斜する右側上り勾配部２０ａ２と、右側中央部２０ａ１の下方部分は下に向かって傾斜する右側下り勾配部２０ａ３とを有する右側抜け出し防止部２０ａ」及び「中央が平らな左側中央部３０ａ１と、この左側中央部３０ａ１の上方部分は上に向かって傾斜する左側上り勾配部３０ａ２と、左側中央部３０ａ１の下方部分は下に向かって傾斜する左側下り勾配部３０ａ３とを有する左側抜け出し防止部３０ａ」であるため、通気性のシート状開閉部材４の昇降に伴う右折り返し部Ａの端部及び左折り返し部Ｃの端部との接触も少なく、しかも、右側抜け出し防止部２０ａの右側上り勾配部２０ａ２と右側下り勾配部２０ａ３及び左側抜け出し防止部３０ａの左側上り勾配部３０ａ２と左側下り勾配部３０ａ３は、右折り返し部Ａの端部及び左折り返し部Ｃの端部と離間するように構成しているため、接触による損傷を防止することができる。
その結果、通気性のシート状開閉部材４の昇降に支障を生じないようにすることができる。
【００２５】
上述した実施例においては、右折り返し部Ａ及び左折り返し部Ｃを設けたが、図１１及ぶ図１２に示すように、右折り返し部Ａ及び左折り返し部Ｃを設けなくても良い。
即ち、建物の内側から見て建物の出入口部２の右側に取り付けられる右側案内部材１２は、通気性のシート状開閉部材４の右側を案内する幅Ｗを有する溝部１２ａを備えている。建物の内側から見て建物の出入口部２の左側に取り付けられる左側案内部材１３は、通気性のシート状開閉部材４の左側を案内する幅Ｗを有する溝部１３ａを備えている。そして、右側案内部材１２の溝部１２ａの幅Ｗに対向する部分に右側案内部材１２の溝部１２ａの幅Ｗより大きくなるようにし、通気性のシート状開閉部材４の右側の部分に取り付けられた高さＨ（Ｈ＞Ｗ）を有する右抜け出し防止用部材２０及び左側案内部材１３の溝部１３ａの幅Ｗに対向する部分に左側案内部材１３の溝部１３ａの幅Ｗより大きくなるようにして、建物の出入口部２に向かう水平方向の動きを規制し、通気性のシート状開閉部材４の左側の部分に取り付けられた高さＨ（Ｈ＞Ｗ）を有する左抜け出し防止用部材３０を設ける。その結果、前述の実施例と同様に、従来のような右側案内部材１２の溝部１２ａから左側案内部材１３の溝部１３ａに亘るパイプを設けなくても、通気性のシート状開閉部材４が右側案内部材１２の溝部１２ａ又は左側案内部材１３の溝部１３ａから離脱するのを防ぐことができ、しかも、従来のようにパイプを使用しない分、シート状開閉部材４が軽くなると共に、右側案内部材１２の溝部１２ａ及び左側案内部材１３の溝部１３ａの幅を薄いシート状開閉部材４の厚みに合わせて、より小さくすることができ、その結果、溝部１２ａ、１３ａを介して建物の内部への虫の侵入を防ぐことができる。
なお、図１１及ぶ図１２においては、上述した図１乃至図１０と同一部分に同一符号を付してその説明を一部省略している。
【図面の簡単な説明】
【００２６】
【図１】図１は、本発明の一実施例の建物の出入口部開閉装置を建物の内側より見た概略斜視図である。
【図２】図２は、図１のシート状開閉部材の一部を拡大して示す概略的一部拡大図である。
【図３】図３は、図２の右抜け出し防止用部材付近の一部を拡大して示す概略的一部拡大図である。
【図４】図４は、図３の４−４線による概略的断面図である。
【図５】図５は、図２の左抜け出し防止用部材付近の一部を拡大して示す概略的一部拡大図である。
【図６】図６は、図５の６−６線による概略的断面図である。
【図７】図７は、図２の７−７線による概略的断面図である。
【図８】図８は、図２の８−８線による概略的断面図である。
【図９】図９は、図２の９−９線による概略的断面図である。
【図１０】図１０は、右側ストッパーにより、通気性のシート状開閉部材の下側縁部が収納部内に巻き込まれない状態を示す概略的側断面図である。
【図１１】図１１は、図４と異なる実施例を示す概略的一部拡大図である。
【図１２】図１２は、図６と異なる実施例を示す概略的一部拡大図である。
【符号の説明】
【００２７】
１          建物の出入口部開閉装置
２          建物の出入口部
４          通気性の開閉部材
１０          回転体
１２          右側案内部材
１３          左側案内部材
２０          右抜け出し防止用部材
３０          左抜け出し防止用部材
Ａ          右折り返し部
Ｃ          左折り返し部
【図１】
2006125020.tif 000003
【図２】
2006125020.tif 000004
【図３】
2006125020.tif 000005
【図４】
2006125020.tif 000006
【図５】
2006125020.tif 000007
【図６】
2006125020.tif 000008
【図７】
2006125020.tif 000009
【図８】
2006125020.tif 000010
【図９】
2006125020.tif 000011
【図１０】
2006125020.tif 000012
【図１１】
2006125020.tif 000013
【図１２】
2006125020.tif 000014